(57)【要約】　　　（修正有）【課題】ＣＣＤカメラとマイクを通じて入力される映像及び音響信号を、電気信号に変換して外部表示装置を通じて出力するフリーフォーカスレンズを用いたカメラ一体形マイクを提供する。【解決手段】音響信号を電気信号に変換して出力するマイクと、前記マイクと一体に形成されて映像信号を電気信号に変換するＣＣＤチップを含むＣＣＤカメラと、前記ＣＣＤカメラのＣＣＤチップに近距離及び遠距離の物体の映像を明確に結像するようにするフリーフォーカスレンズを含むことを特徴とする。本発明は、フリーフォーカスレンズを用いて近接撮影を可能にして、また一般のカメラでは撮影できない映像を音響と共にヴィヴィッドに出力できる長所があり、家庭用ビデオレコーダなどの録画装置への連結が容易であるため高価なビデオカメラに代替する効果がある。【選択図】　　　図３
2004088710.tif 000002
【特許請求の範囲】
【請求項１】
音響信号を電気信号に変換して出力するマイクと、
前記マイクと一体に形成されて映像信号を電気信号に変換するＣＣＤチップを含むＣＣＤカメラと、
前記ＣＣＤカメラのＣＣＤチップに近距離と遠距離物体の映像を明確に結像するようにするフリーフォーカスレンズを含むことを特徴とする、フリーフォーカスレンズを用いたカメラ一体形マイク。
【請求項２】
前記フリーフォーカスレンズは、広い画角を収容することができるように外周面の直径が内周面の直径より大きく、入射された光の収差を少なくして透過させる第１レンズと、
前記第１レンズから入射された光を損失なしに透過させる第２レンズと、
前記第２レンズから入射された光を集めて透過させる第３レンズと、
前記第３レンズから入射された光を集めて透過させる第４レンズと、
前記第４レンズから入射された光の収差を補充し実像の収差を減少させて透過させる第５レンズと、
前記第５レンズから入射される光源を短い焦点に集光させて結像する第６レンズで構成されたことを特徴とする、請求項１に記載のフリーフォーカスレンズを用いたカメラ一体形マイク。
【請求項３】
前記カメラ一体形マイクは、前記ＣＣＤカメラと前記マイクから出力される電気信号を映像及び音響にディスプレーすることができるように外部表示装置に連結する連結手段をさらに含むことを特徴とする、請求項１に記載のフリーフォーカスレンズを用いたカメラ一体形マイク。
【請求項４】
前記連結手段は、ＣＣＤカメラ映像出力単子と、マイク音声出力単子と、外部映像信号入力単子と電源入力単子とで構成されたことを特徴とする、請求項３に記載のフリーフォーカスレンズを用いたカメラ一体形マイク。
【請求項５】
前記カメラ一体形マイクは、暗い場所で所定値の照度を提供するランプをさらに含むことを特徴とする、請求項１に記載のフリーフォーカスレンズを用いたカメラ一体形マイク。
【請求項６】
前記ランプは、可視光線ランプまたは赤外線ランプの中でいずれか一つのランプであることを特徴とする、請求項５に記載のフリーフォーカスレンズを用いたカメラ一体形マイク。
【請求項７】
前記カメラ一体形マイクは、前記ＣＣＤカメラの出力信号または外部映像入力信号の中でいずれか一つの信号を選択することができるスイッチをさらに含むことを特徴とする、請求項１に記載のフリーフォーカスレンズを用いたカメラ一体形マイク。
【発明の詳細な説明】
【０００１】
【発明の属する技術分野】
本発明はマイクに関するものであって、より詳しくはフリーフォーカスレンズを具備したＣＣＤカメラとマイクを通じて入力される映像及び音響信号を電気信号に変換して外部装置を通じて出力するフリーフォーカスレンズを用いたカメラ一体形マイクに関するものである。
【０００２】
【従来技術及び課題】
一般にマイクは、音響信号を入力受けて音波により機械的に振動する信号を電気信号に変換する装置であり、カメラは、被写体を撮像してセルロイドに感光物質を塗ったフィルムに露出させて、フィルムの化学的反応を通じて撮像した被写体を見ることができるようにするか、ＣＣＤ（Ｃｈａｒｇｅ　Ｃｏｕｐｌｅｄ　Ｄｅｖｉｃｅ）を通じて光を受け、光の量に比例する電荷を保有して、保有した電荷量を測定し映像を再現することができるようにする装置である。
【０００３】
マイクから変換された音響信号は、アンプに伝達されて、アンプに連結されたスピーカを通じて音響に復元され伝達されて、ＣＣＤカメラから変換された映像信号は、モニタまたはテレビ受像機などのディスプレー装置を通じて映像に復元され伝達される。
【０００４】
しかし、このようなマイクとＣＣＤカメラは、各装置の特性上個別的に使用して、共に使用する場合、マイクはより多い音響信号を電気信号に変換させるために音源に近接しなければならないが、ＣＣＤカメラは鮮明な映像を獲得するために所定距離以上は接近できないという問題がある。また、ＣＣＤカメラが所定距離以上近接して被写体を撮影した場合、ＣＣＤカメラレンズのフォーカスが合わなくて獲得した映像が暈ける問題点がある。
【０００５】
【発明の目的】
従って、前記の問題点を解決するために本発明は近接撮影が可能で、入力された映像と音響を、外部装置を通じて出力できるカメラ一体形マイクを提供することにその目的がある。
【０００６】
【課題を解決するための手段】
前述のような目的を達成するために本発明は、音響信号を電気信号に変換して出力するマイクと、前記マイクと一体に形成されて映像信号を電気信号に変換するＣＣＤチップを含むＣＣＤカメラと、前記ＣＣＤカメラのＣＣＤチップに近距離及び遠距離の物体の映像を明確に結像するようにするフリーフォーカスレンズを含むことを特徴とする。
【０００７】
また、前記カメラ一体形マイクは、前記ＣＣＤカメラと前記マイクから出力される電気信号を映像及び音響にディスプレーすることができるように外部表示装置と連結する連結手段をさらに含むことを特徴とする。
【０００８】
また、前記カメラ一体形マイクは、暗い場所で所定値の照度を提供するランプをさらに含むことを特徴とする。
【０００９】
また、前記カメラ一体形マイクは、前記ＣＣＤカメラの出力信号または外部映像入力信号の中でいずれか一つの信号を選択することのできるスイッチをさらに含むことを特徴とする。
【００１０】
【発明の実施の形態】
以下、添付の図面を参照して本発明の望ましい実施例を詳細に説明する。
【００１１】
図１は、本発明によるフリーフォーカスレンズを用いたカメラ一体形マイク（Ｕｎｉｔｅｄ　Ｍｉｃｒｏｐｈｏｎｅ　ｗｉｔｈ　Ｃａｍｅｒａ　Ｕｓｉｎｇ　ｆｒｅｅ　ｆｏｃｕｓ　ｌｅｎｓ）の構成を示したブロック図である。図１で、レンズ部１００がＣＣＤカメラ２００と結合されて、前記レンズ部１００が結合されたＣＣＤカメラ２００、マイク３００及びランプ４００が制御部５００に連結されて、前記制御部５００は連結部６００に連結される。
【００１２】
図２は、図１のフリーフォーカスレンズを示した構成図であって、図２を参照してフリーフォーカスレンズについて説明すると次のようである。
【００１３】
レンズ部１００は、近距離及び遠距離物体の像を明確に入射させてＣＣＤカメラ２００のＣＣＤチップに像を結像するようにする。前記レンズ部１００は広い画角を収容することができるように外周面の直径が内周面の直径より大きく、入射された光の収差を少なくして透過させる第１レンズ１１０と、前記第１レンズ１１０から入射された光を損失なしに透過させる第２レンズ１２０と、前記第２レンズ１２０から入射された光を集めて透過させる第３レンズ１３０と、前記第３レンズ１３０から入射された光を集めて透過させる第４レンズ１４０と、前記第４レンズ１４０から入射された光の収差を補充して実像の収差を減少させて透過させる第５レンズ１５０及び前記第５レンズ１５０から入射される光源を短い焦点に集光させて結像する第６レンズで１６０とで構成することにより、数枚のレンズよりなるレンズの後焦点を短くして鮮明な結像になるようにする。また、前記レンズ１１０乃至１６０は、可視光線と赤外線が容易に透過できるように波長を４００〜９５０ナノの領域にコーティングする。
【００１４】
ＣＣＤカメラ２００は、フリーフォーカスレンズ部１００で結像された像がＣＣＤチップに入力されると、入力された像を電気信号に変換する。望ましくは、前記ＣＣＤカメラ２００は低い照度でも動作を容易にすることができるローライトカメラ（Ｌｏｗ　ｌｉｇｈｔ　ｃａｍｅｒａ）であって、被写体の照度がある場合映像をカラーに再現する。
【００１５】
マイク３００は、入力される音響を入力受けて、電気信号に変換する。
【００１６】
ランプ４００は、照明が微弱であるか全くない場合、映像の獲得が可能になるように所定値の照度を提供して、可視光線ランプと赤外線ランプの装着が可能であり、赤外線ランプを設けた場合、ＣＣＤカメラは赤外線によく反応する赤外線感応ＣＣＤカメラを設置する。また、前記ランプ４００として赤外線ランプを使用した場合ランプの波長を８８０〜９４０ナノの領域にして、ＣＣＤカメラ２００で赤外線ランプの反射光に反応した被写体が黒白像に再現できるようにする。
【００１７】
制御部５００は、前記ＣＣＤカメラ２００とマイク３００とランプ４００とに印加される電源を制御して、前記ＣＣＤカメラ２００の出力信号を選択的に出力する。望ましくは、前記制御部５００は選択スイッチである。
【００１８】
連結部６００は、前記ＣＣＤカメラ２００から出力される映像信号と、マイク３００から出力される音響信号を外部装置に連結して、望ましくは、前記連結部６００はコネクタである。
【００１９】
図３は、本発明によるフリーフォーカスレンズを用いたカメラ一体形マイクを示した斜視図であり、図４は、図３のＩＶ−ＩＶ断面を示した断面図である。図３及び図４を参照してフリーフォーカスレンズを用いたカメラ一体形マイクを説明すると、次のようである。
【００２０】
カメラ一体形マイク１０は、第１ケース２０の中央にレンズ部１００が設けられて、前記レンズ部１００の下端部には第２ケース３０に設けられたＣＣＤカメラ２００が配置されて、前記第２ケース３０の上部にマイク３００が設けられて、前記レンズ部１００の周辺に第２ケース３０から延びた支持部３２にランプ４００が設けられる。
【００２１】
前記第２ケース３０の一側には、前記ＣＣＤカメラ２００と前記マイク３００と前記ランプ４００に印加される電源を制御する第１スイッチ５１０と前記カメラ２００から出力される映像信号を外部装置に連結することを制御する第２スイッチ５２０が設けられる。
【００２２】
また、前記第２ケース３０の下部にはケーブル４０の一端が連結されて、前期ケーブル４０の他端にはＣＣＤカメラ２００から出力される映像信号とマイク３００から出力される音響信号を外部装置に伝達することができるように連結部６００が形成される。前記連結部６００は、ＣＣＤカメラ２００から出力される映像信号を外部表示装置（例えば、モニタ、テレビ受像機など）を通じて表示することができるように、連結する第１コネクタ６１０ａと、外部映像装置（図示せず）から出力される映像信号を入力受けることができる第２コネクタ６１０ｂと、マイク３００から出力される音響信号を外部表示装置（例えば、アンプなど）に連結する第３コネクタ６２０と、電源を印加する第４コネクタ６３０とで構成される。
【００２３】
図５は、図３のフリーフォーカスレンズを用いたカメラ一体形マイクの構成を示した電気回路図であって、図５を参照して本発明によるフリーフォーカスレンズを用いたカメラ一体形マイクの動作を説明すると、次のようである。
【００２４】
第１スイッチ５１０がオン（ｏｎ）されると、ＣＣＤカメラ２００、マイク３００及びランプ４００に電源が印加される。電源が印加されると、フリーフォーカスレンズを通じて入力された像がＣＣＤカメラ２００のＣＣＤチップに感光されて、前記ＣＣＤカメラ２００は、入力された映像信号を電気信号に変換して変換された電気信号を第２スイッチ５２０の選択により外部装置（図示せず）に出力する。前記第２スイッチ５２０の選択がａ単子とｂ単子とを連結した場合、第１コネクタ６１０ａを通じてディスプレー装置（図示せず）に伝送されて、前記第２スイッチ５２０の選択がｂ単子とｃ単子とを連結した場合、ＣＣＤカメラ２００から出力される映像信号は遮断して、第２コネクタ６１０ｂを通じて入力される外部装置（図示せず）の映像信号をディスプレー装置に伝送する。
【００２５】
一方、マイク３００から出力される音響信号は、第３コネクタを通じてアンプ（図示せず）と連結されて、前記アンプに連結されたスピーカ（図示せず）を通じて再生される。
【００２６】
未説明符号３２０は、レギュレータとして入力された電源を所定値の電源に変換して出力する。
【００２７】
以上、本発明を特定の望ましい一実施例を通じて記述したが、本発明は前述の実施例に限定されるものではなく、本発明が属する技術分野で通常の知識を有するものにより、特許請求範囲に記載された本発明の技術的範囲から外れることなしに、多様に変形及び変更することができる。
【００２８】
【発明の効果】
前述のように、本発明は、フリーフォーカスレンズを用いて近接撮影を可能にして、また一般のカメラでは撮影できない映像を音響と共にヴィヴィッドに出力できる長所があり、家庭用ビデオレコーダなどの録画装置への連結が容易であるため高価なビデオカメラに代替する効果がある。
【図面の簡単な説明】
【図１】本発明に係るフリーフォーカスレンズを用いたカメラ一体形マイクの構成を示したブロック図である。
【図２】図１のフリーフォーカスレンズの構成を示した構成図である。
【図３】図１の本発明に係るフリーフォーカスレンズを用いたカメラ一体形マイクを示した斜視図である。
【図４】図３のＩＶ−ＩＶ間の断面図である。
【図５】図３のフリーフォーカスレンズを用いたカメラ一体形マイクの構成を示した電気回路図である。
【符号の説明】
１０　　　カメラ一体形マイク
２０　　　第１ケース
３０　　　第２ケース
３２　　　支持部
４０　　　ケーブル
１００　　レンズ部
１１０　　第１レンズ
１２０　　第２レンズ
１３０　　第３レンズ
１４０　　第４レンズ
１５０　　第５レンズ
１６０　　第６レンズ
２００　　ＣＣＤカメラ
３００　　マイク
３２０　　レギュレータ（ｒｅｇｕｌａｔｏｒ）
４００　　ランプ
５００　　制御部
５１０　　第１スイッチ
５２０　　第２スイッチ
６００　　連結部
６１０ａ　第１コネクタ
６１０ｂ　第２コネクタ
６２０　　第３コネクタ
６３０　　第４コネクタ
【図１】
2004088710.tif 000003
【図２】
2004088710.tif 000004
【図３】
2004088710.tif 000005
【図４】
2004088710.tif 000006
【図５】
2004088710.tif 000007